(57)【特許請求の範囲】
【請求項１】
第１の筐体と第２の筐体とが開閉可能に接続されるとともに、前記第１の筐体の裏面にはデジタル・カメラ装置がおよび前記第２の筐体の裏面には折り畳んだ状態で複数の簡易情報を表示するサブ表示器が設けられた折畳式通信端末装置において、
前記折畳式通信端末装置の開閉状態を検出する開閉状態検出手段と、
前記デジタル・カメラ装置に撮影指示を与えるシャッターボタンと、
前記シャッターボタンの撮影指示に基づいて、前記デジタル・カメラ装置の撮影および前記サブ表示器の表示を制御する制御手段とを具備し、
前記制御手段は、前記シャッターボタンから撮影指示を受けた場合、前記開閉状態検出手段が開状態を検出しているときには前記デジタル・カメラ装置に撮影させるとともに、撮影のタイミングに合わせて前記サブ表示器を発光させること、を特徴とする折畳式通信端末装置。
【請求項２】
第１の筐体と第２の筐体とが開閉可能に接続されるとともに、前記第１の筐体の裏面にはデジタル・カメラ装置がおよび前記第２の筐体の裏面には折り畳んだ状態で複数の簡易情報を表示するサブ表示器が設けられた折畳式通信端末装置の撮影制御方法において、
前記折畳式通信端末装置の開閉状態を検出する開閉状態検出手段と、
前記デジタル・カメラ装置に撮影指示を与えるシャッターボタンと、
前記シャッターボタンの撮影指示に基づいて、前記デジタル・カメラ装置の撮影および前記サブ表示器の表示を制御する制御手段とを具備し、
前記制御手段は、前記シャッターボタンから撮影指示を受けた場合、前記開閉状態検出手段が開状態を検出しているときには前記デジタル・カメラ装置に撮影させるステップとともに、撮影のタイミングに合わせて前記サブ表示器を発光させるステップを含むこと、
を特徴とする撮影制御方法。
【発明の詳細な説明】
【０００１】
【発明の属する技術分野】
本発明は、折畳式通信端末装置および撮影制御方法に係り、更に詳しくは、第１の筐体と第２の筐体とが開閉可能に接続されるとともに、前記第１の筐体の裏面にはデジタル・カメラ装置がおよび前記第２の筐体の裏面には折り畳んだ状態で複数の簡易情報を表示するサブ表示器が設けられた折畳式通信端末装置および撮影制御方法に関する。
【０００２】
【従来の技術】
近年、ＰＨＳ（Ｐｅｒｓｏｎａｌ  Ｈａｎｄｙ  ｐｈｏｎｅ  Ｓｙｓｔｅｍ）、ＰＤＣ（Ｐｅｒｓｏｎａｌ  Ｄｉｇｉｔａｌ  Ｃｅｌｌｕｌａｒ  ｔｅｌｅｃｏｍｍｕｎｉｃａｔｉｏｎ  ｓｙｓｔｅｍ）やＣＤＭＡ（  Ｃｏｄｅ  Ｄｉｖｉｓｉｏｎ  Ｍｕｌｔｉｐｌｅ  Ａｃｃｅｓｓ  ）などの移動体通信機は、小型軽量化や通信品質の向上および本体価格や通話料金の低下によって広く普及するに至っており、特に若者達の間では必須アイテムとなっている。また最近では、ファッション性や操作性に優れる折畳式の移動体通信機に人気が集中しており、製造各社が競って折畳式移動体通信機を販売すると予想されている。
【０００３】
折畳式移動体通信機の従来技術として、着信の際に折り畳んだ状態から開いた状態になったことを検出して着信音を停止させる技術（特開平６−１３２８７６号公報または特開平８−３０７４８８号公報）や、ユーザが折り畳んでいる状態でも着信などの報知情報を知ることができるサブ表示器をメイン表示器とともに具備する技術（特開平１１−７４９５３号公報）が開示されており、これらの折畳式移動体通信機は既に周知となっている。
【０００４】
話は変わるが、例えば通信事業者のＪ−ＰＨＯＮＥが発売したＪ−ＳＨ０４にはデジタル・カメラ装置が搭載されており、撮った写真をデジタル画像データに変換し、簡単操作で直ちに通話相手に送信できるようになっている。その一方、本体形状は他のストレートタイプの移動体通信機と同様に、手のひらに納まるほどのコンパクト設計となっており、将来的には折畳式移動体通信機も本体形状はそのままで若しくは更に小型化され、デジタル・カメラ装置が標準装備されるものと予想される。なお、本願出願人もデジタル・カメラ付き移動体通信機であるＪ−ＳＡ０３を本年４月上旬に発売予定であるが、当該移動体通信機は開いた状態では従来のストレートタイプの移動体通信機よりも少し大きくなってはいるものの、折り畳み状態では全長が約半分のコンパクト設計となっており、丁度手の中に納まるサイズである。
【０００５】
【発明が解決しようとする課題】
ところで、デジタル撮影技術の発展に伴って、大きな社会問題の一つになったものに盗撮行為があり、モラルのない一部の異常者はどのような手段を用いてもターゲットの動画像やスチル写真を撮影しようとする。例えば、昨年の秋には有名芸能人がビデオ・カメラを紙袋に隠し持って盗撮を行い、その結果芸能界復帰ができなくなったばかりか、社会復帰さえも危ぶまれているが、その一方で、盗撮された被害者は全く気づかないでいるのが常であり、盗撮自体を阻止する何らかの対策が要望されている。
【０００６】
本発明は、上記の問題点を解決する為になされたものであり、折畳式移動体通信機特有の構造を利用して、少しでも盗撮を阻止または抑止するとともに、撮影したことを撮影者や被写体（撮影される人物）に知らせることが可能な折畳式通信端末装置および撮影制御方法を提供することを目的とする。
【０００７】
【課題を解決するための手段】
請求項１に係る本発明の折畳式通信端末装置は、上記の目的を達成するために、第１の筐体と第２の筐体とが開閉可能に接続されるとともに、前記第１の筐体の裏面にはデジタル・カメラ装置がおよび前記第２の筐体の裏面には折り畳んだ状態で複数の簡易情報を表示するサブ表示器が設けられた折畳式通信端末装置において、前記折畳式通信端末装置の開閉状態を検出する開閉状態検出手段と、前記デジタル・カメラ装置に撮影指示を与えるシャッターボタンと、前記シャッターボタンの撮影指示に基づいて、前記デジタル・カメラ装置の撮影および前記サブ表示器の表示を制御する制御手段とを具備し、前記制御手段は、前記シャッターボタンから撮影指示を受けた場合、前記開閉状態検出手段が開状態を検出しているときには前記デジタル・カメラ装置に撮影させるとともに、撮影のタイミングに合わせて前記サブ表示器を発光させることを特徴とする。
【０００８】
請求項２に係る本発明の撮影制御方法は、第１の筐体と第２の筐体とが開閉可能に接続されるとともに、前記第１の筐体の裏面にはデジタル・カメラ装置がおよび前記第２の筐体の裏面には折り畳んだ状態で複数の簡易情報を表示するサブ表示器が設けられた折畳式通信端末装置の撮影制御方法において、前記折畳式通信端末装置の開閉状態を検出する開閉状態検出手段と、前記デジタル・カメラ装置に撮影指示を与えるシャッターボタンと、前記シャッターボタンの撮影指示に基づいて、前記デジタル・カメラ装置の撮影および前記サブ表示器の表示を制御する制御手段とを具備し、前記制御手段は、前記シャッターボタンから撮影指示を受けた場合、前記開閉状態検出手段が開状態を検出しているときには前記デジタル・カメラ装置に撮影させるステップとともに、撮影のタイミングに合わせて前記サブ表示器を発光させるステップを含むことを特徴とする。
【０００９】
【実施の形態】
以下、本発明の実施の形態を図面と共に詳細に説明する。
【００１０】
図１は、本発明に係る折畳式通信端末装置の開いた状態の外観図であり、図１（Ａ）が正面図、図１（Ｂ）が右側面図および図１（Ｃ）が裏面図である。
【００１１】
１は、折畳式通信端末装置本体であり、通話および通話に関連操作や電子メール操作を行う場合は開いた状態とし、一方、待ち受けの場合は一般的に閉じた状態とする。但し、折畳式通信端末装置は、閉じた状態でメモリダイヤルの中から所望の発呼先を選択した後、装置本体を開状態にすることにより、当該発呼先に対応する電話番号へ自動的にダイヤルするようになっている。
【００１２】
２は、メインディスプレイであり、カラー液晶表示装置（例えば、２５６色反射型ＳＴＮカラー液晶表示装置）、ＤＭＤ（デジタル・ミラー・デバイス）や有機ＥＬ表示装置、ＰＤＰ（プラズマ・ディスプレイ・パネル）などから構成され、通知すべき情報、文字情報や現在時刻情報、画像情報などの各種詳細情報を表示する。なお、折畳式通信端末装置１が閉じられた状態では、表示内容を確認できないので、メインディスプレイ２は消灯または電源ＯＦＦし節電に寄与する。
【００１３】
３は、フレキシブルキーであり、他のキーやボタンと組み合せて色々な機能を設定するときに使用する。例えば、メインディスプレイ２の下部に表示される項目ボタンを選択するキーとなったり、待ち受け中において左ボタンはファンクションキー（以下、「Ｆキー」と省略する。）および右ボタンは文字キーの機能が付与される。
【００１４】
４は、４接点キーであり、上下左右方向にカーソルを移動させたり、表示内容をその方向に順番にスクロールさせる。また、音量の設定やメモリダイヤルの呼び出し、リダイヤルや漢字変換などに使用される。
【００１５】
５は、Ｅメールキーであり、スカイメールやロングメールなどの電子メール機能を利用するときに使用する。また、文字を消去したり、前の表示に戻るときに使用する。
【００１６】
６は、ＯＫキーであり、選択されている項目を決定するときに使用する。
【００１７】
７は、終了／電源キーであり、電源をＯＮ／ＯＦＦしたり、通話を終了や応答保留する際に使用する。
【００１８】
８は、テンキーであり、電話番号や文字を入力する。
【００１９】
９は、マイクであり、通話中に音声を送信する。
【００２０】
１０は、イヤホン端子であり、イヤホンマイクを接続する。
【００２１】
１１は、ＷＥＢキーであり、インターネット接続機能の表示画面に移行する際に使用する。また、電子メール機能の表示画面に移行する際や、ウェブやステーションを利用するときに使用したり、メニューを表示して選択するときに使用する。
【００２２】
１２は、サイドキーであり、カメラで撮影するときに使用する（即ち、シャッターボタン）。また、簡易留守録を設定／解除したり、通話中に相手の声を録音したり、録音した内容を再生するときに使用する（即ち、メモボタン）。
【００２３】
１３は、外部接続端子であり、急速充電器やシガーライター充電器、モバイルツールなどを接続する。
【００２４】
１４は、開始キーであり、電話をかけたり受けたりする際に使用する。
【００２５】
１５は、アンテナであり、通信に必要な電波を受信および送信する。
【００２６】
１６は、レシーバ（受話器）であり、相手の声や各種メッセージ音などが再生される。
【００２７】
１７は、スピーカであり、着信音が鳴る。
【００２８】
１８は、サブディスプレイであり、カラー液晶表示装置、ＤＭＤ（デジタル・ミラー・デバイス）や有機ＥＬ表示装置などの各種表示装置で構成され、本体を閉じている場合に、待受時や着信時などの簡易情報を表示する。特に、サブディスプレイ１８は、通常設けられている着信ランプや撮影ランプを兼ねており、着信があると呼び出し相手に応じ色で点滅して通知したり、撮影時のシャッター開閉動作と連動して発光するようになっている。また、サブディスプレイ１８は、充電中に赤色に点灯する。なお、折畳式通信端末装置１が開かれた状態では、メインディスプレイ２に詳細内容が表示されるので、サブディスプレイ１８はバックライトだけが消灯し節電に寄与する。従って、表示されている文字は判読できる。また、サブディスプレイ１８が消灯している際、サイドキー１２を操作すると、サブディスプレイ１８のバックライトは点灯し所定時間経過後に再び消灯する。
【００２９】
１９は、開閉検出スイッチであり、通信端末装置１が閉じた状態にあるか、完全に開いた状態にあるかまたは半開きの状態にあるかを機械的に検出するマイクロスイッチである。ただし、折畳式通信端末装置１が開いたことを検出する光センサーや開き角度を検出するエンコーダなど周知の手段を用いることができる。
【００３０】
３０は、電池パックであり、折畳式通信端末装置１の各種電子回路に必要な電力を供給する。
【００３１】
３１は、内蔵カメラであり、レンズを通して入力された人物や風景などの光がＣＣＤやＣ−ＭＯＳ人工網膜ＩＣ（例えば、三菱電機製Ｍ６４２７０ＡＧ：レンズ付き人工網膜ＬＳＩ）によって撮影される。
【００３２】
３２は、ミラーであり、折畳式通信端末装置１の使用者自身を撮影する際、被写体が写るので確認することができる。
【００３３】
図２は、本発明に係る折畳式通信端末装置の構成を示すブロック図であり、例えば、ＩＳ−９５（Ｉｎｔｅｒｉｍ  Ｓｔａｎｄａｒｄ  ９５）ベースのＣＤＭＡ（Ｃｏｄｅ  Ｄｉｖｉｓｉｏｎ  Ｍｕｌｔｉｐｌｅ  Ａｃｃｅｓｓ）方式携帯電話の移動端末装置に適用した場合を示している。なお、図１と重複する構成については同一符号を付し、その説明を省略する。但し、通信方式に関してはＣＤＭＡ方式に限定されるものではなく、ＰＤＣ（Ｐｅｒｓｏｎａｌ  Ｄｉｇｉｔａｌ  Ｃｅｌｌｕｌａｒ）やＰＨＳ（Ｐｅｒｓｏｎａｌ  Ｈａｎｄｙｐｈｏｎｅ  Ｓｙｓｔｅｍ）など、いずれでもよい。
【００３４】
図２から明かなように、折畳式通信端末装置１は、アンテナ１５、送受信部２１、変復調部（即ち、ベースバンド処理部などを含む）２２、音声処理部２４、マイク９、レシーバ１６、制御部２０、メイン表示部２、サブ表示部１８、カメラ部２５、カメラＩ／Ｆ２６および操作部２３を具備する構成となっている。
【００３５】
制御部２０は、例えばマイクロプロセッサとＲＯＭ（Ｒｅａｄ  Ｏｎｌｙ  Ｍｅｍｏｒｙ）２０ａおよびＲＡＭ（Ｒａｎｄｏｍ  Ａｃｃｅｓｓ  Ｍｅｍｏｒｙ）２０ｂなどからなり、ＲＯＭ２０ａに格納されている制御プログラムにしたがって各種の制御を行う。また、ＲＡＭ２０ｂには、送信する情報や受信した情報および電話帳データ（例えば、メモリダイヤル９９９件分のデータ）などが一時的にまたは消去／変更操作が行われるまで格納されるようになっている。
【００３６】
メイン表示部２およびサブ表示部１８は、それぞれメインディスプレイ２およびサブディスプレイ１８に対応している。
【００３７】
操作部２３は、フレキシブルキー３、４接点キー４、Ｅメールキー５、ＯＫキー６、終了／電源キー７、テンキー８、ＷＥＢキー１１、サイドキー１２、開始キー１４および開閉検出スイッチ１９で構成される。
【００３８】
上記構成の折畳式通信端末装置１において、受信電波はアンテナ１５を経て送受信部２１で受信され、変復調部２２で復調される。この変復調部２２で復調された音声情報は音声処理部２４へ供給され、制御部２０の制御のもとに、音声処理部２４で所定の処理が行われた後、スピーカ１６で電気−音響変換されて音声となって出力される。
【００３９】
また、変復調部２２で復調された受信データは制御部２０へ供給される。この受信データは制御データ、文字データ等（例えば、相手電話番号）および画像データなどからなり、必要に応じてメイン表示部２やサブ表示部１８に供給されて文字情報や画像情報として表示されたり、ＲＡＭ１９ａに格納される。この受信データの制御データには、音声通信の着信情報（呼び出し側の電話番号を含む）や、ＳＭＳベアラー（ショート・メッセージ・ベアラー）という方式によって送信されてくる電子メールおよび文字メッセージの着信情報などのデータも含まれている。
【００４０】
一方、入力された音声は、マイク９で音響−電気変換され、音声処理部２４で所定の処理が施された後、変復調部２２に供給される。また、操作部２３からの入力情報は、制御部２０を経由して必要に応じてＲＡＭ２０ｂに格納されるとともに、送信データとして変復調部２２に供給される。変復調部２２は、供給される音声信号や送信データを変調した後、送受信部２１を経てアンテナ１５から送信される。
【００４１】
カメラ部２５は、フレキシブルケーブルおよびカメラＩ／Ｆ２６を介して制御部２０に接続されており、操作者が操作部２３を操作してカメラ撮影に関する各種コマンドを入力すると、制御部２０はカメラＩ／Ｆ２６に指示を出す。カメラＩ／Ｆ２６は撮影指示を受けると、カメラ部２５に対して各種制御コマンド出力し、カメラ部２５から得た撮像データをＲＡＭ２０ｂに格納する。但し、ＲＡＭ２０ｂは一般に容量が小さいので、撮像データを専用に記憶する大容量ＲＡＭを別途設けてもよい。当然ながら、ＲＡＭ２０ｂに格納された撮像データは、変復調部２２によって変調された後、送受信部２１を経てアンテナ１５から送信することが可能である。
【００４２】
つぎに、上述のように構成された本発明に係る折畳式通信端末装置の撮影動作について詳細に説明する。
【００４３】
図３は、本発明に係る撮影制御方法の撮影処理サブルーチンを示すフローチャートである。
【００４４】
まず、折畳式通信端末装置１のユーザが終了／電源キー７を操作して電源をＯＮにすると、制御部２０はＲＯＭ２０ａから制御プログラムを読み込んで必要な初期設定を行った後、基地局（図示せず）と所定の手順で信号を送受信して位置登録を行って、待ち受け状態に入る。そして、ユーザが、折畳式通信端末装置１を完全に閉じた状態（図示せず）でシャッターボタンであるサイドキー１２を操作したと仮定する。
【００４５】
制御部２０は、サイドキー１２の操作によって撮影指示を受けると、この撮影処理サブルーチンを呼び出す。
【００４６】
制御部２０は、ステップ１００で、開閉検出スイッチ１９の出力により折畳式通信端末装置１が完全に開いた状態にあるか否かを判断する。この場合、完全に閉じた状態であるから、ステップ１０２に移行して、スピーカ１７から撮影ができない旨の警告音を発生させて終了する。
【００４７】
つぎに、ユーザが、折畳式通信端末装置１を半開き状態（図示せず）でシャッターボタンであるサイドキー１２を操作したと仮定する。
【００４８】
制御部２０は、サイドキー１２の操作によって撮影指示を受けると、この撮影処理サブルーチンを呼び出す。
【００４９】
制御部２０は、ステップ１００で、開閉検出スイッチ１９の出力により折畳式通信端末装置１が完全に開いた状態にあるか否かを判断する。この場合、半開き状態であるから、ステップ１０２に移行して、スピーカ１７から撮影ができない旨の警告音を発生させて終了する。
【００５０】
最後にユーザが、折畳式通信端末装置１を完全に開いた状態（図１（Ａ）乃至（Ｃ）参照）でシャッターボタンであるサイドキー１２を操作したと仮定する。
【００５１】
制御部２０は、サイドキー１２の操作によって撮影指示を受けると、この撮影処理サブルーチンを呼び出す。
【００５２】
制御部２０は、ステップ１００で、開閉検出スイッチ１９の出力により折畳式通信端末装置１が完全に開いた状態にあるか否かを判断する。この場合、完全に開いた状態であるから、ステップ１０１に移行して、カメラＩ／Ｆ２６に撮影指示を出し、カメラＩ／Ｆ２６はカメラ部２５に対して各種制御コマンド出力し、カメラ部２５から得た撮像データをＲＡＭ２０ｂに格納するとともに、撮影動作と連動してサブディスプレイ１８を発光させて終了する（即ち、カメラ撮影を実行する）。但し、本実施例では、完全に開いた状態のみ撮影を許可したが、半開きの度合いを検出し、ある程度以上開いていた場合、撮影許可する構成としてもよい。
【００５３】
【発明の効果】
以上説明した様に、本発明に係る折畳式通信端末装置および撮影制御方法によれば、折畳式通信端末装置が完全に閉じた状態又は所定の角度以下に開いている状態では撮影ができないようになっており、更に撮影不可状態で撮影を行うと警告音が鳴って撮影失敗を知らせる一方、撮影と同時にサブディスプレイを発光させて撮影した旨を周辺にいる人々に報知するので、少しでも盗撮を阻止または抑止することが可能となる。
【図面の簡単な説明】
【図１】本発明に係る折畳式通信端末装置の開いた状態の外観図である。
【図２】本発明に係る折畳式通信端末装置の構成を示すブロック図である。
【図３】本発明に係る撮影制御方法の撮影処理サブルーチンを示すフローチャートである。
【符号の説明】
１        折畳式通信端末装置本体
２        メインディスプレイ
１５      アンテナ
１８      サブディスプレイ
２０      制御部
２０ａ    ＲＯＭ
２０ｂ    ＲＡＭ
２１      送受信部
２２      変復調部
２３      操作部
２４      音声処理部
２５      カメラ部
２６      カメラＩ／Ｆ
３１      内蔵カメラ
【図１】
0003574084.tif 000002
【図２】
0003574084.tif 000003
【図３】
0003574084.tif 000004